(57)【要約】【課題】複雑な機構を設けることなく、目安精度が高精度なアラーム時計を提供する。【解決手段】内部時計１４０１と、秒針を輪列を介して駆動するモータ１２１と、時分針を駆動するモータ１３１と、通常モード時には、内部時計１４０１による時刻情報に基づいて各指針に現時刻表示を行わせる駆動信号を各モータに出力し、アラームモード時には、時針ｍ１および分針ｍ２をアラーム時刻表示のための指針として選択し、選択した指針を駆動する時分針用モータ１３１に輪列に応じた駆動信号ＣＴＬ２を印加し、秒針用モータ１２１に、内部時計１４０１による時刻情報と輪列に基づいて駆動信号ＣＴＬ１を印加して秒針ｍ３に現時刻表示を行わせる制御回路１４を設ける。【選択図】図１
2005233659.tif 000002
【特許請求の範囲】
【請求項１】
内部時計と、
第１の指針を第１の輪列を介して駆動する第１の駆動モータと、
第２の指針を第２の輪列を介して駆動する第２の駆動モータと、
通常モード時には、前記内部時計による時刻情報に基づいて、前記第１の指針を駆動させる駆動信号を前記第１の駆動モータに出力し、前記第２の指針を駆動させる駆動信号を前記第２の駆動モータに印加して前記第１および第２の指針により現時刻表示を行わせ、アラームモード時には、前記第１および第２の指針のうちいずれかの指針をアラーム時刻表示のための指針として選択し、前記選択した指針を駆動する駆動モータに前記輪列に応じた駆動信号を印加して設定されたアラーム時刻を示す位置にまで駆動させ、前記選択された指針以外の指針を駆動する駆動モータに、前記内部時計による時刻情報および前記輪列に応じた駆動信号を印加して現時刻表示を行わせる制御手段と
を有するアラーム時計。
【請求項２】
前記制御手段は、少なくとも前記通常モード時およびアラームモード時のいずれかにおいて、少なくとも前記第１および第２の指針のいずれかの指針が文字板の目盛り位置と一致するように駆動させる駆動信号を前記輪列に基づいて前記第１および第２の駆動モータに印加する
請求項１に記載のアラーム時計。
【請求項３】
標準時刻電波信号を受信する標準電波受信手段を有し、
前記制御手段は、前記標準電波受信手段が受信した標準時刻電波信号に基づいて前記内部時計による時刻情報を修正し、当該時刻情報に応じた駆動信号を前記第１および第２の駆動モータに印加して前記指針による表示時刻を修正する
請求項１または請求項２に記載のアラーム時計。
【請求項４】
前記アラームモード時には、アラームモードである旨を表示するアラームモード表示手段を有する
請求項１から請求項３のいずれか一に記載のアラーム時計。
【請求項５】
前記制御手段は、前記内部時計による時刻情報が前記設定されたアラーム時刻となったときに報知手段にアラーム時刻となった旨を報知させる
請求項１から請求項４のいずれか一に記載のアラーム時計。
【発明の詳細な説明】
【技術分野】
【０００１】
本発明は、例えば、設定したアラーム時刻に報知音を発音する等の報知を行うアラーム時計に関するものである。
【背景技術】
【０００２】
従来、アナログ目安針によりアラーム時刻を設定し、設定したアラーム時刻に報知を行うアラーム時計が知られている（例えば、特許文献１参照）。
また、佐賀県に設置された標準電波送信局から周波数６０ｋＨｚで送信された標準時刻電波信号や、福島県に設置された標準電波送信局から周波数４０ｋＨｚで送信された標準時刻電波信号を受信し、その標準時刻電波信号に基づいて時刻修正を行うアナログ式指針を有する電波修正時計に、上述したアナログ目安針によるアラーム機能を加えたアラーム時計も知られている。
また、アナログ目安針の替わりに液晶デジタル表示装置を備え、内部メモリに設定されたアラーム時刻に報知を行うアラーム時計も知られている。
【特許文献１】実用新案登録第２５２７９９９号公報
【発明の開示】
【発明が解決しようとする課題】
【０００３】
しかし、上述した従来のアナログ目安針によるアラーム時計は目安精度が悪い。
また、２段式目安機構を設けて目安精度を高精度化したアラーム時計が知られているが、構造が複雑になりコストがかかる。
また、上述した液晶デジタル表示を行うアラーム時計では目安精度は高いが、新たに、液晶デジタル表示装置を設ける必要があり、構造が複雑になりコストがかかる。
このため複雑な機構を設けることなく、目安精度が高精度なアラーム時計が望まれている。
【０００４】
本発明は、かかる事情に鑑みてなされたものであり、その目的は、複雑な機構を設けることなく、目安精度が高精度なアラーム時計を提供することにある。
【課題を解決するための手段】
【０００５】
前記目的を達成するために、本発明のアラーム時計は、内部時計と、第１の指針を第１の輪列を介して駆動する第１の駆動モータと、第２の指針を第２の輪列を介して駆動する第２の駆動モータと、通常モード時には、前記内部時計による時刻情報に基づいて、前記第１の指針を駆動させる駆動信号を前記第１の駆動モータに出力し、前記第２の指針を駆動させる駆動信号を前記第２の駆動モータに印加して前記第１および第２の指針により現時刻表示を行わせ、アラームモード時には、前記第１および第２の指針のうちいずれかの指針をアラーム時刻表示のための指針として選択し、前記選択した指針を駆動する駆動モータに前記輪列に応じた駆動信号を印加して設定されたアラーム時刻を示す位置にまで駆動させ、前記選択された指針以外の指針を駆動する駆動モータに、前記内部時計による時刻情報および前記輪列に応じた駆動信号を印加して現時刻表示を行わせる制御手段とを有する。
【０００６】
好適には、前記制御手段は、少なくとも前記通常モード時およびアラームモード時のいずれかにおいて、少なくとも前記第１および第２の指針のいずれかの指針が文字板の目盛り位置と一致するように駆動させる駆動信号を前記輪列に基づいて前記第１および第２の駆動モータに印加する。
【０００７】
さらに、好適には、標準時刻電波信号を受信する標準電波受信手段を有し、前記制御手段は、前記標準電波受信手段が受信した標準時刻電波信号に基づいて前記内部時計による時刻情報を修正し、当該時刻情報に応じた駆動信号を前記第１および第２の駆動モータに印加して前記指針による表示時刻を修正する。
さらに、好適には、前記アラームモード時には、アラームモードである旨を表示するアラームモード表示手段を有する。
さらに好適には、前記制御手段は、前記内部時計による時刻情報が前記設定されたアラーム時刻となったときに報知手段にアラーム時刻となった旨を報知させる
【０００８】
本発明のアラーム時計によれば、制御手段は、通常モード時には、内部時計による時刻情報に基づいて、第１の指針を駆動させる駆動信号を第１の駆動モータに出力し、第２の指針を駆動させる駆動信号を第２の駆動モータに印加して第１および第２の指針により現時刻表示を行わせ、アラームモード時には、第１および第２の指針のうちいずれかの指針をアラーム時刻表示のための指針として選択し、選択した指針を駆動する駆動モータに輪列に応じた駆動信号を印加して設定されたアラーム時刻を示す位置にまで駆動させ、選択された指針以外の指針を駆動する駆動モータに、内部時計による時刻情報および輪列に応じた駆動信号を印加して現時刻表示を行わせる。
【発明の効果】
【０００９】
本発明によれば、複雑な機構を設けることなく、目安精度が高精度なアラーム時計を提供することができる。
【発明を実施するための最良の形態】
【００１０】
第１実施形態に係るアラーム時計を採用した電波修正時計は、例えば指針として秒針、分針、および時針を有する。第１のモータは、輪列を介して秒針を駆動する。第２のモータは、第２の輪列を介して分針および時針を駆動する。
通常モード時には、第１のモータおよび第２のモータにより、秒針、分針、および時針により現時刻表示を行う。
アラームモード時には、例えば指針のうち、分針および時針にアラーム時刻表示としての機能を割り当て、残りの指針である秒針に現時刻表示としての機能を割り当てる。
そして、上記割り当てた機能に応じた駆動信号を駆動モータに印加して、指針それぞれに、割り当てた機能を実現させる。
【００１１】
以下、本発明に係るアラーム時計を採用した電波修正時計を説明する。
図１は本発明に係る電波修正時計の一実施形態の電気的な機能ブロック図である。図２は、図１に示した電波修正時計の構成図、図３は図２に示した電波修正時計の断面図である。
【００１２】
本実施形態に係る電波修正時計１は、図１，２に示すように、標準電波受信系１１、スイッチ群１２、発振回路１３、制御回路１４、ドライブ回路１５、発光素子１６、バッファ回路１７、ドライブ回路１８、アラームモード表示部１９、発音部２０、時計本体１００、第１のモータ（秒針用モータ）１２１、第２のモータ（時分針用モータ）１３１、光検出センサ部１４０、手動修正系１５０、トランジスタＱ１〜３、および抵抗素子Ｒ１〜Ｒ４，Ｒ１９１，Ｒ１９２、キャパシタＣ１３１，Ｃ１３２を有する。
制御回路１４は本発明に係る制御手段に相当する。
【００１３】
標準電波受信系１１は、例えば不図示の標準電波送信所から送信された標準時刻情報（時刻コードとも言う）を含む標準電波（標準時刻電波信号とも言う）を受信し、標準時刻電波信号のデコードを行い、信号Ｓ１１として制御回路１４に出力する。
【００１４】
標準電波受信系１１は、例えば図１に示すように、アンテナＡＮＴ、および長波受信回路（標準電波受信回路）１１０を有する。
長波受信回路１１０は、例えばアンテナＡＮＴを介して入力された標準時刻電波信号のデコードを行い、標準時刻信号を信号Ｓ１１として制御回路１４に出力する。詳細には長波受信回路１１０は、例えば不図示のＲＦアンプ、検波回路、波形整形回路を有し、増幅処理、検波処理、波形整形処理等を行い、処理結果の標準時刻信号を信号Ｓ１１として出力する。制御回路１４は信号Ｓ１１を基に内部時計１４０１や表示時刻の修正を行う。
【００１５】
また、例えば長波受信回路１１０は、制御回路１４から出力された、標準時刻電波信号の受信オン状態または受信オフ状態を制御させる制御信号ＣＴＬ１１に基づいて、標準時刻電波信号の受信オン状態または受信オフ状態を制御する。
【００１６】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準電波受信系１１で受信される標準電波は、図４（ａ）に示すような形態で送られてくる。
【００１７】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００１８】
そして、受信状態が良好な場合には、標準電波受信系１１からは図４（ｂ）に示すように、標準電波信号に応じたパルス信号として信号Ｓ１１が、制御回路１４に出力される。
【００１９】
この信号Ｓ１１は、例えば第１のレベルに相当するハイレベルと、第２のレベルに相当するローレベルにより構成されている。制御回路１４は、ハイレベル、およびローレベル、ならびに、ハイレベルからローレベルへの立下りエッジｅｄ１、およびローレベルからハイレベルへの立上がりエッジｅｄ２に基づいて受信状態の評価処理を行う。エッジｅｄ１およびエッジｅｄ２を区別しない場合には、単にエッジｅｄという。
【００２０】
次に、長波標準電波の送信データについて説明する。
図５は、標準時刻電波信号の時刻コードの一例を示している。図５（ａ）は毎時１５，４５分以外のフォーマット、図５（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２１】
スイッチ群１２は、例えば図１に示すように、時刻修正スイッチＳＷ１２１、モード設定スイッチＳＷ１２２、第１アラーム時刻修正スイッチ（ｕｐ）ＳＷ１２３、第２アラーム時刻修正スイッチ（ｄｏｗｎ）ＳＷ１２４、および報知音スイッチＳＷ１２５を有する。
【００２２】
時刻修正スイッチＳＷ１２１は、例えば時刻修正を行う際に操作され、操作に応じて信号Ｓ１２１を制御回路１４に出力する。制御回路１４は、時刻修正スイッチＳＷ１２１から信号Ｓ１２１が入力されると、後述するように、標準電波受信系１１で受信した標準時刻電波信号に基づいて、内部時計による時刻情報を修正し、指針の位置検出を行った後、内部時計による時刻情報を基に時刻修正処理を行う。
【００２３】
モード設定スイッチＳＷ１２２は、通常モードとアラームモードを設定する際に操作され、例えばモード設定スイッチＳＷ１２２がオフ状態の場合には通常モードを示す信号Ｓ１２２を、モード設定スイッチＳＷ１２２がオフ状態の場合にはアラームモードを示す信号Ｓ１２３を制御回路１４に出力する。制御回路１４は、信号Ｓ１２２に基づいて通常モードとアラームモードを設定する。
【００２４】
第１アラーム時刻修正スイッチ（ｕｐ）ＳＷ１２３は、例えばアラーム時刻を設定する際に操作され、その操作に応じた信号Ｓ１２３を制御回路１４に出力する。制御回路１４は信号Ｓ１２３に基づいて、例えば設定されたアラーム時刻を所定時間だけ進めてアラーム時刻を修正する。
第２アラーム時刻修正スイッチ（ｄｏｗｎ）ＳＷ１２４は、例えばアラーム時刻を設定する際に操作され、その操作に応じた信号Ｓ１２４を制御回路１４に出力する。制御回路１４は信号Ｓ１２４に基づいて、例えば設定されたアラーム時刻を所定時間だけ遅らせてアラーム時刻を修正する。
報知音スイッチＳＷ１２５は、例えば報知手段である発音部２０から発音された、アラーム音を停止させる際に操作され、操作に応じた信号Ｓ１２５を制御回路１４に出力する。制御回路１４は信号Ｓ１２５に基づいて、例えばアラーム音の発音を停止する処理を行う。
【００２５】
発振回路１３は、例えば水晶発振器ＣＲＹおよびキャパシタＣ１３１，Ｃ１３２により構成され、所定周波数の基本クロックを示す信号Ｓ１３を制御回路１４に供給する。
【００２６】
アラームモード表示部１９は、制御回路１４の制御により、例えばアラームモード時にアラームモードである旨を示す発光を行い、通常モード時には発光を行わない。
具体的には、アラームモード表示部１９は、例えば図１に示すように、ｐｎｐトランジスタＱ３、発光素子１９０、抵抗素子Ｒ１９１，Ｒ１９２を有する。
ｐｎｐトランジスタＱ３のエミッタは電源電圧Ｖccの供給ラインに接続され、ベースは抵抗素子Ｒ１９１を介してドライブ信号ＤＲ３の出力ラインに接続され、コレクタは抵抗素子Ｒ１９２を介して発光素子１９０のアノードに接続され、発光素子１９０のカソードは基準電位ＧＮＤに接続されている。
すなわち、発光素子１９０は制御回路１４からローレベルのドライブ信号ＤＲ３が出力されたとき発光するように制御回路１４に接続されている。
【００２７】
発音部２０は、報知手段であり、例えば制御回路１４の制御により、内部時計１４０１が計時する時刻情報がアラーム時刻の場合に、アラーム時刻であることを示す報知、例えば発音を行う。具体的には発音部２０は不図示の発音回路やスピーカ等により構成されている。
報知はアラーム音による発音に限られるものではなく、例えば制御回路１４の制御により、発光素子による発光や、からくり装置によるからくり動作や、振動装置による振動によりアラーム時刻である旨を報知してもよい。
【００２８】
制御回路１４は、例えば内部時計１４０１、およびメモリ１４０２を有する。
内部時計１４０１は、例えば年情報カウンタ、月情報カウンタ、日情報カウンタ、曜情報カウンタ、時情報を計時する時カウンタ、分情報を計時する分カウンタ、および秒情報を計時する秒カウンタ等を含む。
【００２９】
メモリ１４０２は、例えば、制御回路１４のワークスペースとして用いられる。例えば、メモリ１４０２はＲＡＭ（Random access memory）等で構成される。
【００３０】
制御回路１４は、例えば通常モード時には、内部時計１４０１による時刻情報に基づいて、秒針を第１の距離単位毎に回転移動させる駆動パルス信号ＣＴＬ１を秒針用モータ１２１に出力し、時針および分針を第２の距離単位毎に回転移動させる駆動パルス信号ＣＴＬ２を時分針用モータ１３１に印加して、指針である時針、分針、秒針により現時刻表示を行わせる。
【００３１】
また、制御回路１４は、アラームモード時には、秒針、分針、時針のうち、いずれかの指針をアラーム時刻表示のための指針（目安針）として選択する。
具体的には、アラームモード時には、本実施形態では２個の駆動モータで３個の指針を駆動しているので、アラーム時刻を表示駆動させるための機能と、現時刻を表示させるための機能を、２つの駆動モータおよび３個の指針のいずれかに割り当てる。
【００３２】
本実施形態では、例えばアラームモード時には、時分針用モータ１３１、時針、および分針にアラーム時刻を表示させるための機能を割り当て、秒針用モータ１２１および秒針に現時刻、例えば時表示を行わせるための機能を割り当てる。
【００３３】
制御回路１４は、例えばアラーム時刻を表示させるための機能として選択した、時針および分針を駆動する時分針用モータ１３１に、その輪列の回転比に応じた駆動信号を印加して、設定されたアラーム時刻を示す位置にまで駆動させる。
また、制御回路１４は、現時刻を表示させるための機能が割り当てられた秒針を駆動する秒針用モータ１２１に、当該秒針を駆動する輪列の回転比と、内部時計１４０１による時刻情報に基づいて駆動信号を印加して現時刻表示（時表示）を行わせる。
【００３４】
図６（Ａ），（Ｂ）は、図１に示した電波修正時計の正面図である。図６（Ａ）は、通常モード時の指針による現時刻表示を示す図、図６（Ｂ）は、アラームモード時の指針によるアラーム時刻表示と現時刻表示を示す図である。
【００３５】
本実施形態に係る電波修正時計は、例えば図６（Ａ）に示すように、筐体部２００の中央部に文字板２０１、時針ｍ１、分針ｍ２、および秒針ｍ３が設けられている。
【００３６】
文字板２０１には、例えば本実施形態では図６（Ａ）に示すように、第１目盛り２１１、および第２目盛り２１２が形成されている。本実施形態では第１目盛り２１１の内側に第２目盛り２１２が形成されている。
【００３７】
第１目盛り２１１は、例えば図６（Ａ）に示すように、３６０度を６０等分した角度、具体的には６度毎に目盛りが形成されている。また、図６（Ａ）に示すように、上から右回りに、３０度毎（５目盛り毎）に数字１〜１２が形成されている。
第１目盛り２１１は、通常モード時に、時針ｍ１、分針ｍ２、および秒針ｍ３により指示された位置が、現時刻を示すように目盛りが形成されている。第１目盛り２１１において、時針ｍ１は５目盛りを１時間として、分針ｍ２は１目盛りを１分として、秒針ｍ３は１目盛りを１秒として、現時刻を表示する。例えば通常モード時の図６（Ａ）では１０時７分３０秒を示す。
【００３８】
本実施形態ではアラームモード時には、時針ｍ１および分針ｍ２がアラーム時刻を示し、秒針ｍ３が現時刻表示（時表示）を行う。
詳細には、図６（Ｂ）に示すように、秒針ｍ３が第１目盛り２１１を指し示した位置が現時刻（時表示）である。例えば図６（Ｂ）では、秒針ｍ３はアラームモード時には、第１目盛り２１１で現時刻が略１０時３０分である旨を示す。
また、時針ｍ１および分針ｍ２が、第１目盛り２１１を指し示した位置がアラーム時刻である。図６（Ｂ）ではアラーム時刻が５時３０分である旨を表示する。
【００３９】
第２目盛り２１２は、例えば図６（Ａ）に示すように、３６０度を７２等分した角度、具体的には、５度毎に目盛りが形成されている。本実施形態では第２目盛り２１２を設けずに使用しなくてもよいが、例えば第２目盛り２１２を設けて、アラームモード時の秒針ｍ３による現時刻表示（時表示）の目盛りとして用いてもよい。
【００４０】
また、制御回路１４は、アラームモード時には、図６（Ｂ）に示すように発光素子１９０が発光してアラームモードである旨を示し、通常モード時には、図６（Ａ）に示すように、発光素子１９０を発光させない。
【００４１】
制御回路１４は、通常モード時に、例えば秒針用モータ１２１に、１秒間に６パルスの駆動信号ＣＴＬ１を印加して、秒針ｍ３を第１目盛り２１１において１秒分だけ駆動するような輪列構成の場合、つまり３６０パルスで秒針ｍ３が１周するような輪列構成の場合に、アラームモード時には、２分間に１パルスの駆動信号ＣＴＬ１を秒針用モータ１２１に印加すると、１２時間で１周するように秒針ｍ３が駆動する。
【００４２】
こうすることにより、制御回路１４は、通常モード時でもアラームモード時でも、文字板２１０の第１目盛り２１１に一致する位置に指針を駆動させることができる。
つまり、制御回路１４は、各モード時に各指針に割り当てた機能に応じて、文字板２１０の第１目盛り２１１に一致するように駆動を行わせる駆動信号を各駆動モータに印加する。
【００４３】
本実施形態では制御回路１４は、秒の指標に対して、各指針（連動する指針は高速側）の１秒分の送り量の駆動パルスの内のパルス数は、６の整数倍であることが好ましい。
【００４４】
また例えば、前述したアラームモード時に秒針ｍ３が現時刻表示（時表示）、時針ｍ１および分針ｍ２がアラーム時刻表示した形態とは逆にして、後述する秒針ｍ３がアラーム表示、時針が現時刻表示を行う場合に、通常モード時には秒針、分針、および時針の送りの際には、秒の駆動パルス信号として６パルス、アラームモード時には駆動パルス信号として５パルスを印加することで、文字板２１０の第１目盛り２１１および第２目盛り２１２に合わせて指針を駆動することができる。
また、制御回路１４は、各モータに印加する駆動パルス信号内のパルス数として、各モードで印加するパルス数の倍数となるように設定されていることが好ましい。また、上述したパルス数の駆動信号により駆動モータが駆動して各指針が第１目盛り目盛り２１１および第２目盛り２１２に合うように、各輪列の回転比や輪列構成が決定される。
【００４５】
また、制御回路１４は、内部時計１４０１が計時する標準時刻情報（時刻情報ともいう）に基づいて、予め設定された時刻（設定時刻）に時刻修正動作を行う。
【００４６】
制御回路１４は、長波受信回路１１０から出力された信号Ｓ１１を基に、例えば信号の立ち上がりを検出し、その立ち上がり時間を毎正時（００分００秒）とする。この際、内部時計１４０１では標準時刻電波信号に基づいて時刻情報として年情報、月情報、日情報、時情報、分情報、秒情報が計時されており、制御回路１４は時報情報を基に秒情報を修正する。
【００４７】
また、制御回路１４は、標準時刻電波信号の受信状態が良好であると判別した場合には、アンテナＡＮＴを介して長波受信回路１１０が受信した標準時刻電波信号を基に、内部時計１４０１が計時する時刻情報を修正し、内部時計１４０１が計時する時刻情報を基に、秒針駆動系１２０および時分針駆動系１３０を駆動して、指針による表示時刻を修正する。
【００４８】
以下、より詳細に制御回路１４の時刻修正に係る機能を説明する。制御回路１４は、例えば初期状態、および時刻修正スイッチＳＷ１２１が操作された場合には、指針車の原点検出処理を行い、内部時計１４０１で計時される時刻情報に応じた駆動信号ＣＴＬ１およびＣＴＬ２を出力して、指針による時刻表示を行う。
制御回路１４は、指針の位置検出処理は、時分針車および秒針車の位相合わせ処理、秒針の原点検索処理、時分針の原点検索処理を行い、各指針車の位置を検出した後、所定時刻に指針を設定する。
【００４９】
位相合わせ処理は、例えば、時分針車に設けられた透光部と、秒針車に設けられた透光部とを、発光素子１４２から出力された光が貫通するような位置にまで、時分針車および秒針車を駆動する。
秒針の原点検索処理は、発光素子１４２から出力された光が、秒針車に設けられた遮光部および透光部により、受光素子１４４に受光される、光のオンオフパターンに基づいて原点が検索される。
時分針の原点検索処理は、後述するように、発光素子１４２から出力された光が、時分針車に設けられた遮光部および透光部により、受光素子１４４に受光される、光のオンオフパターンに基づいて位置が検索される。
【００５０】
制御回路１４は、所定の時間、例えば本実施形態では８秒間の標準時刻電波信号のサンプリング（例えば３２Ｈｚ）を行い、そのサンプリングの結果に基づいて受信状態を判定する。詳細には、制御回路１４は、例えば標準電波受信系１１から入力される信号Ｓ１１のサンプリング（例えば３２Ｈｚ）を行い、エッジｅｄを検出し、そのエッジｅｄの有無や数に基いて受信状態を判定する。
【００５１】
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００５２】
制御回路１４は、受信状態が基準範囲にない場合には、制御信号ＣＴＬ１を出力せずに、ドライブ信号ＤＲ１をドライブ回路１５に出力して、発光素子１６を発光させてユーザに標準電波信号がほとんど受信できない旨を報知させる。
【００５３】
また、制御回路１４は、電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１３１に制御信号ＣＴＬ２として、修正のためのパルス信号Ｐを入力して早送り駆動等を行い、指針による時刻表示の修正を行う。
【００５４】
次に、電波修正時計のムーブメントおよび指針位置検出系の具体的な構成について、図２，３、図７〜図１６に関連付けて説明する。
【００５５】
時計本体１００は、図２，３に示すように、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒針駆動系）１２０、第２駆動系（時分針駆動系）１３０、光検出センサ１４０、手動修正系１５０等が固定あるいは軸支されている。
【００５６】
第１駆動系１２０は、図２に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された秒針用モータ１２１と、ロータ１２１ｃのピニオン１２１ｄに大径歯車１２２ａが噛合した第１伝達歯車（第１検出用歯車）としての第１の５番車１２２と、この第１の５番車１２２の小径歯車１２２ｂに噛合した第２検出用歯車（第１指針車）としての秒針車１２３とにより構成されている。
ここで、秒針用モータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００５７】
第１の５番車１２２は、大径歯車１２２ａの歯数が６０個、小径歯車１２２ｂの歯数が１５個に形成され、中板１１３および上ケース１１２に回動自在に軸支され、その大径歯車１２２ａが秒針用モータ１２１のロータ１２１ｃ（ピニオン１２１ｄ）と噛合して、ロータ１２１ｃの回転速度を所定速度に減速させる。この第１の５番車１２２には、図７，９に示すように、秒針車１２３と重なる領域において周方向に等間隔（中心角α１が１２０°）で配置された３個の円形状をなす透孔１２２ｃが形成されている。この透孔１２２ｃは、光検出センサ１４０の検出光を通過させるだけでなく、少なくともその１つは、第１の５番車１２２を組付ける際の位置決め孔（度決め孔）として用いられるものである。
【００５８】
秒針車１２３は、大径歯車１２３ａの歯数が６０個に形成され、その軸部の一端が上ケース１１２に軸支され、中板１１３を下ケース１１１側に貫通したその他端側には秒針軸１２３ｂが圧入されており、この秒針軸１２３ｂは、後述する分針パイプ１３４ｐの内側に挿通されて、その先端に秒針が取り付けられている。この秒針車１２３には、図７，１０に示すように、回転により第１の５番車１２２と重なる領域において周方向に等間隔（中心角α２が３０°）で配置された１１個の円形状をなす透孔１２３ｃと、一箇所だけピッチの異なる位置決め遮光部１２３ｄ（透孔１２３ｃと透孔１２３ｃとの中心角が６０°）とが形成されている。そして、上記第１の５番車１２２の透孔１２２ｃが位置決め遮光部１２３ｄに対向した後に最初に透孔１２３ｃと対向する時に、秒針が正時を指すように構成されている。
【００５９】
透孔１２３ｃは、光検出センサ１４０の検出光を通過させるだけでなく、少なくともその１つは、秒針車１２３を組付ける際の位置決め孔（度決め孔）として用いられるものである。
また、これらの透孔１２３ｃの内側には、周方向に長尺で回転軸方向に突出する円弧状の付勢ばね１２３ｅが、切り欠き孔１２３ｆにより画定されている。この円弧状付勢ばね１２３ｅは、秒針車１２３をその回転軸方向に付勢するものである。
【００６０】
ここで、位置決め遮光部１２３ｄは、周方向において切り欠き孔１２３ｆから離れた位置、すなわち、２つの切り欠き孔１２３ｆが途切れて離れた領域に形成されている。したがって、切り欠き孔１２３ｆと位置決め遮光部１２３ｄとの距離を十分確保できるため、位置決め遮光部１２３ｄの領域において検出光が切り欠き孔１２３ｆに回り込むようなことはなく、確実にこの位置決め遮光部１２３ｄで検出光を遮ることができる。すなわち、検出光の回り込みによる誤検出を生じ易い切り欠き孔１２３ｆを設けた領域から離れた位置に位置決め遮光部１２３ｄが形成されていることから、この位置決め遮光部１２３ｄを秒針車１２２の回転角度位置の位置決めに用いることで、確実な位置決めを行うことができる。
【００６１】
秒針車１２３においては、図１０に示すように、複数（１１個）の透孔１２３ｃを設ける代わりに、図１１に示すように、位置決め遮光部１２３ｄと径方向において対向する位置にある透孔１２３ｃのみを残して、その他の透孔１２３ｃをそれぞれ切り欠き孔１２３ｇと一体的に開けてもよい。これによれば、検出光の通過を許容する部分において、検出光の通過をより一層確実なものとし、また、秒針車１２３を形成する材料の無駄を低減することができる。
【００６２】
第２駆動系１３０は、図２，３、および図８に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時分針用モータ１３１とロータ１３１ｃのピニオン１３１ｄに大径歯車１３２ａが噛合した中間歯車としての第２の５番車１３２と、この第２の５番車１３２の小径歯車１３２ｂに大径歯車１３３ａが噛合した第２伝達歯車（第３検出用歯車）としての３番車１３３と、この３番車１３３の小径歯車１３３ｂに大径歯車１３４ａが噛合した第４検出用歯車（第２指針車）としての分針車１３４と、この分針車１３４の小径歯車１３４ｂに大径歯車１３５ａが噛合した中間歯車としての日の裏車１３５と、この日の裏車１３５の小径歯車１３５ｂに噛合した第５検出用歯車（第２指針車）としての時針車１３６とにより構成されている。
ここで、時分針用モータ１３１は、ステータ１３１ａが中板１１３に載置して固定され、ロータ１３１ｃが中板１１３と上ケース１１２とに軸支されており、制御回路１４の出力制御信号に基づいて、その回転方向、回転角度、および回転速度が制御される。
【００６３】
第２の５番車１３２は、大径歯車１３２ａの歯数が６０個、小径歯車１３２ｂの歯数が１５個に形成され、中板１１３および上ケース１１２に軸支され、その大径歯車１３２ａが時分針用モータ１３１のロータ１３１ｃ（ピニオン１３１ｄ）と噛合して、ロータ１３１ｃの回転速度を所定速度に減速させる。なお、この第２の５番車１３２としては、前述の第１の５番車１２２を流用、すなわち、透孔１２２ｃが設けられたものを用いてもよい。これにより、部品の共用化が行え製品のコストを低減することができる。
【００６４】
３番車１３３は、大径歯車１３３ａの歯数が６０個、小径歯車１３３ｂの歯数が１０個に形成され、軸部の一端が上ケース１１２に軸支され、他端側が中板１１３を貫通した状態で回動自在に配設されており、第２の５番車１３２の回転を減速して分針車１３４に伝達する。また、３番車１３３には、図１２に示すように、回転により秒針車１２３および第１の５番車１２２と重なる領域において周方向に等間隔（中心角α３が３６°）で配置された１０個の円形状をなす透孔１３３ｃが形成されている。この透孔１３３ｃは、光検出センサ１４０の検出光を通過させるだけでなく、少なくともその１つは、３番車１３３を組付ける際の位置決め孔（度決め孔）として用いられるものである。
【００６５】
分針車１３４は、大径歯車１３４ａの歯数が６０個、小径歯車１３４ｂの歯数が１４個に形成され、その中央部には小径歯車１３４ｂが一体的に形成された分針パイプ１３４ｐが、側面視にて略Ｔ字形状をなすように形成されている。そして、分針パイプ１３４ｐの一端部が中板１１３に回動自在に軸支され、他端側の軸部は後述する時針車１３６の時針パイプ１３６ｐの内部に回動自在に挿通されている。また、分針パイプ１３４ｐは、下ケース１１１を貫通して時計の文字盤側に突出しており、その先端には分針が取り付けられている。
【００６６】
また、分針車１３４には、図１３に示すように、回転により秒針車１２３，第１の５番車１２２，３番車１３３と重なる領域において周方向に長尺な３個の円弧状透孔１３４ｃ，１３４ｄ，１３４ｅが形成されている。これら円弧状透孔１３４ｃと円弧状透孔１３４ｄとは、中心角α５で３０°隔てて形成され、円弧状透孔１３４ｄと円弧状透孔１３４ｅとは、中心角α６で３０°隔てて形成され、また、円弧状透孔１３４ｅと円弧状透孔１３４ｃとは、中心角α７で６０°隔てて形成されている。すなわち、円弧状透孔１３４ｅと円弧状透孔１３４ｃとの間に、最も幅の広い遮光部Ａが形成され、円弧状透孔１３４ｃと円弧状透孔１３４ｄとの間および円弧状透孔１３４ｄと円弧状透孔１３４ｅとの間に、上記遮光部Ａよりも幅狭の遮光部Ｂが形成されている。
【００６７】
また、円弧状透孔１３４ｃは、一端側の円形部１３４ｃ１と、他端側から伸びる幅広円弧部１３４ｃ２と、両者を連結する幅狭円弧部１３４ｃ３とにより形成されている。この幅狭円弧部１３４ｃ３により画定される円形部１３４ｃ１は、検出光を通過させるだけでなく、分針車１３４を組み付ける際の位置決め孔（度決め孔）として用いられるものである。
【００６８】
時針車１３６は、大型歯車１３６ａの歯数が４０個に形成され、その中央部に円筒状の時針パイプ１３６ｐが一体的に取り付けられており、この時針パイプ１３６ｐの内部に前述の分針パイプ１３４ｐが挿通されている。そして、時針パイプ１３６ｐは、下ケース１１１に形成された軸受け孔１１１ａに挿通されて回動自在に軸支されており、また、その先端側は下ケース１１１を貫通して時計の文字盤側に突出しており、その先端には時針が取り付けられている。
【００６９】
また、時針車１３６には、図１４に示すように、回転により秒針車１２３，第１の５番車１２２，３番車１３３，分針車１３４と重なる領域において周方向に長尺な３個の円弧状透孔１３６ｃ，１３６ｄ，１３６ｅが形成されている。これら円弧状透孔１３６ｃと円弧状透孔１３６ｄとは、中心角α８で４５°隔てて形成され、円弧状透孔１３６ｄと円弧状透孔１３６ｅとは、中心角α９で６０°隔てて形成され、また、円弧状透孔１３６ｅと円弧状透孔１３６ｃとは、中心角α１０で３０°隔てて形成されており、更に、円弧状透孔１３６ｃ，１３６ｄ，１３６ｅの長さは、中心角β１＋β２，β３，β４がそれぞれ７５°，６０°，９０°となるように設定されている。すなわち、円弧状透孔１３６ｅと円弧状透孔１３６ｃとの間に、最も幅の狭い遮光部Ｃが形成され、円弧状透孔１３６ｃと円弧状透孔１３６ｄとの間に、遮光部Ｃよりも幅の広い遮光部Ｄが形成され、円弧状透孔１３６ｄと円弧状透孔１３６ｅとの間に、遮光部Ｄよりも幅の広い遮光部Ｅが形成されている。
【００７０】
また、円弧状透孔１３６ｃは、一端側から中心角β１で７．５°のところに位置する円形部１３６ｃ１と、他端側から伸びる幅広円弧部１３６ｃ２と、両者を連結すると共に円形部１３６ｃ１の両側に位置する幅狭円弧部１３６ｃ３とにより形成されている。この幅狭円弧部１３６ｃ３により画定される円形部１３６ｃ１は、検出光を通過させるだけでなく、時針車１３６を組み付ける際の位置決め孔（度決め孔）として用いられるものである。
【００７１】
日の裏車１３５は、大径歯車１３５ａの歯数が４２個、小径歯車１３５ｂの歯数が１０個に形成され、下ケース１１１に形成された突部１１１ｂに対して回動自在に軸支されており、大径歯車１３５ａが分針パイプ１３４ｐに形成された小径歯車１３４ｂに噛合し、また、小径歯車１３５ｂが時針車１３６（１３６ａ）に噛合して、分針車１３４の回転を減速して時針車１３６に伝達する。
【００７２】
光検出センサ１４０は、図３に示すように、上ケース１１２の壁面に固定された回路基板１４１に取付けられた発光ダイオードからなる発光素子１４２と、この発光素子１４２に対向するように、下ケース１１１の壁面に固定された回路基板１４３に取付けられたフォトトランジスタからなる受光素子１４４とにより形成されている。
そして、発光素子１４２のアノードは一端がｐｎｐトランジスタＱ２のコレクタに接続されたドライブ回路１８における抵抗素子Ｒ４の他端に接続され、カソードは、接地されると共に、受光素子１４４のエミッタに接続されている。
受光素子１４４のコレクタは、制御回路１４に接続されている。この制御回路１４との接続ラインは、検出信号ＤＴ１の制御回路１４への出力ラインとなっている。
ドライブ回路１８のトランジスタＱ２のエミッタは電源電圧Ｖccの供給ラインに接続され、ベースは抵抗素子Ｒ３を介してドライブ信号ＤＲ２の出力ラインに接続されている。
すなわち、発光素子１４２は、制御回路１４からローレベルのドライブ信号ＤＲ２が出力されたとき発光するようにドライブ回路１８に接続されている。
【００７３】
また、図３に示すように、平面視にて第１の５番車１２２、秒針車１２３、３番車１３３、分針車１３４、時針車１３６の全てが同時に重なる位置に配置されている。そして、第１の５番車１２２の透孔１２２ｃ、３番車１３３の透孔１３３ｃ、秒針車１２３の透孔１２３ｃ、分針車１３４の透孔１３４ｃ（１３４ｄ、１３４ｅ）、時針車１３６の透孔１３６ｃ（１３６ｄ、１３６ｅ）が重なり合った時に、発光素子１４２から発せられた検出光が受光素子１４４により受光されて、秒針、分針、時針が正時等の位置を指していることを出力するようになっている。
【００７４】
更に、発光素子１４２は、上ケース１１２の外側に開口するように形成された第１配置部としての取付け凹部１１２ｃ内に配置されており、この取付け凹部１１２ｃの底面には、所定径の円形貫通孔１１２ｄが開けられている。この円形貫通孔１１２ｄは、発光素子１４２から発せられる検出光が末広がり状に広がる性質があるため、その広がった部分の光を遮断して収束された光のみを通過させて誤検出を防止できるようにするものである。
同様に、受光素子１４４は、下ケース１１１の外側に開口するように形成された第２配置部としての取付け凹部１１１ｃ内に配置されており、この取付け凹部１１１ｃの底面には、所定径の円形貫通孔１１１ｄが開けられている。この円形貫通孔１１１ｄは、発光素子１４２から発せられ、上記透孔を通過してきた光のみをできるだけ通過させて誤検出を防止できるようにするものである。
【００７５】
第１の５番車１２２、３番車１３３、秒針車１２３、分針車１３４、時針車１３６を取付ける場合は、所定の位置決めピンが、下ケース１１１の円形貫通孔１１１ｄ、位置決めとして用いられるそれぞれの透孔、および上ケース１１２の円形貫通孔１１２ｄを貫くように、順次に組付ける。そして、上ケース１１２および下ケース１１１を接合して一体化した後、位置決めピンを引き抜いて、貫通孔１１２ｄが位置する取付け凹部１１２ｃに発光素子１４２を取付け、また、貫通孔１１１ｄが位置する取付け凹部１１２ｃに受光素子１４４を取付ける。
【００７６】
これにより、貫通孔１１２ｄおよび１１１ｄは完全に塞がれ、上ケース１１２および下ケース１１１により画定される内部空間に外部の光が侵入するのを防止できる。したがって、外部の光が侵入することによる誤検出を防止できると共に、組付け時の位置決め孔と光検出用の透孔とを兼用していることから、これらの孔を別々に設ける場合に比べて装置の集約化、小型化を行うことができる。
【００７７】
手動修正系１５０は、図２および図３に示すように、上述の分針車１３４の小径歯車１３４ｂおよび時針車１３６の大径歯車１３６ａに噛合する日の裏車１３５と、この日の裏車１３５の大径歯車１３５ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００７８】
手動修正軸１５１は、分針車１３４と同位相で回転するように構成されており、上述の第２駆動系１３０により分針車１３４が駆動されているときには日の裏車１３５を介して分針車１３４と同位相で回転すると共に、第２駆動系１３０の非作動時には、頭部１５１ｂを指で回転させることにより、指針位置を手動修正できるようになっている。
【００７９】
上記のように、秒針車１２３の秒針軸１２３ｂが分針車１３４の分針パイプ１３４ｐに挿通され、分針車１３４の分針パイプ１３４ｐが時針車１３６の時針パイプ１３６ｐに挿通されていることから、秒針車１２３と、分針車１３４と、時針車１３６とは、それぞれの回転中心軸が共通しており、また、時刻表示の際に、秒針が６０秒間に１回転、分針が６０分間に１回転、時針が１２時間に１回転するように駆動される。
【００８０】
分針車１３４の分針パイプ１３４ｐの先端部および時針車１３６の時針パイプ１３６ｐの先端部には、図１５に示すように、径方向に所定幅をなして伸びる位置決めのための第１指標としての溝１３４ｇおよび第２指標としての溝１３６ｇが形成されている。そして、これらの溝１３４ｇおよび溝１３６ｇが、一直線に並んだとき所定の時刻例えば１２時００分を指すように設定されている。
【００８１】
このような位置決め指標を設けたことにより、分針車１３４および時針車１３６を下ケース１１１および上ケース１１２により囲繞して覆ってしまった後においても、溝１３４ｇおよび１３６ｇが一直線に並んでいれば予め設定された概略の時刻を指していることが分かるため、その状態を基に分針および時針を容易に取り付けることができ、その他の位置合わせおよび位置確認工程が不要になり、製造ラインおよび検査ラインでの製造時間および検査時間を短縮することができる。なお、位置決め指標としては、上記の溝に限るものではなく、ポッチ等のマークでもよい。
【００８２】
図１６は、図１に示した電波修正時計の指針位置検出処理の動作を示すフローチャートである。
制御回路１４は、指針駆動系を駆動して基準位置検出手段の検出処理に基づいて指針車の基準位置を検出した後、標準電波受信系１１のアンテナＡＮＴおよび長波受信回路１１０で受信した標準時刻電波信号に基づいて内部時計１４０１の計時時刻を修正し、内部時計１４０１の計時時刻に基づいて指針車の指針位置を設定する。
図１６を参照しながら指針位置検出処理を説明する。
【００８３】
制御回路１４から時分用パルス信号出力パターンがセットされ（ＳＴ１０１）、ドライブ信号ＤＲ２がドライブ回路１８にローレベルで出力される。これにより、トランジスタＱ２がオンし、発光素子１４２、すなわち発光ダイオードから検出光が発せられる。
【００８４】
続いて、制御回路１４から制御信号ＣＴＬ１が出力されて秒針用モータ１２１がパルス駆動され（ＳＴ１０２）、受光素子１４４すなわちフォトトランジスタがオンし、検出信号ＤＴ１がハイレベル（電源電圧Ｖccレベル）からローレベルに切り換わったか否かの判別が行われる（ＳＴ１０３）。
【００８５】
ここで、フォトトランジスタからの検出信号ＤＴ１がハイレベルのままに保持されている場合には、ステップ駆動を行うためにパルス数を加算する度に、フォトトランジスタからの検出信号ＤＴ１がハイレベル（電源電圧Ｖccレベル）からローレベルに切り換わったか否かの判別が行われる（ＳＴ１０４〜ＳＴ１０６）。
そして、パルス数が９に達してもフォトトランジスタからの検出信号ＤＴ１出力がハイレベル（電源電圧Ｖccレベル）からローレベルに切り換わらない場合には、時分針用モータ１３１が１ステップ（パルス）駆動され（ＳＴ１０７）、その後再び秒針用モータ１２１がステップ駆動され（ＳＴ１０２）て、秒針車１２３が回転駆動される。
【００８６】
一方、ステップＳＴ１０３において、フォトトランジスタによる検出信号ＤＴ１がハイレベルからローレベルに切り換わったと判別されると、秒針車１２３が早送りされ（ＳＴ１０８）、制御回路１４に予め記憶された出力パターンとの比較が行われる（ＳＴ１０９）。
比較の結果、得られた出力パターンと記憶された出力パターンとが適合しない場合は、ステップＳＴ１０８に戻り、再び秒針車１２３が早送りされる。
【００８７】
一方、得られた出力パターンと記憶された出力パターンとが適合した場合には、その時点（５ステップ目でもフォトトランジスタにより検出信号ＤＴ１のレベルがローレベルに切り換わらない場合において次にフォトトランジスタの出力がローレベルに切り換わった時点）で、制御信号ＣＴＬ１の出力が停止されて、秒針車１２３の回路駆動が停止される。そして、秒針車１２３が帰零位置で停止する（ＳＴ１１０）。このとき、秒針は所定時刻例えば正時（０秒）の位置に修正され、秒針の原点検索処理が終了する。
【００８８】
続いて、制御回路１４から制御信号ＣＴＬ２が出力されて時分針用モータ１３１のみが所定の出力周波数でパルス駆動されて分針車１３４が早送りされる（ＳＴ１１１）。
【００８９】
そして、フォトトランジスタからの出力パターンと制御回路１４に予め記憶された出力パターンとの比較が行われる（ＳＴ１１２）。
比較の結果、得られた出力パターンと記憶された出力パターンとが適合しない場合は、ステップＳＴ１１１の処理に戻り、再び分針車１３４が早送りされる。
【００９０】
一方、ステップＳＴ１１２の比較の結果、得られた出力パターンと記憶された出力パターンとが適合した場合は、その時点で、制御信号ＣＴＬ２の出力が停止され、時分針用モータ１３１が停止されて、分針車１３４および時針車１３６の駆動が停止される（ＳＴ１１３）。
【００９１】
ここで、出力パターンと予め記憶された出力パターンとの比較による時分針車の位置検出処理は、３種類のパターンのいずれかに合わせることにより行われる。
【００９２】
図１７は、図１に示した電波修正時計の検出光の出力パターンを説明するための図である。
すなわち、分針車１３４によるフォトトランジスタの出力パターンは、図１７（ａ）に示すように、遮光部が作用するオフの幅として、２つの幅狭のＢ部と１つの幅広のＡ部とが交互に現れるようなパターンとなり、また、時針車１３６によるフォトトランジスタの出力パターンは、図１７（ｂ）に示すように、遮光部が作用するオフの幅が３種類のＤ部、Ｅ部、Ｃ部が所定間隔をおいて交互に現れるようなパターンとなり、両者を合成した出力パターンは、図１７（ｃ）に示すように、Ｄ部，Ｂ部およびＡ部が組み合わされたパターンと、Ｅ部，Ｂ部およびＡ部が組み合わされたパターンと、Ｃ部，Ｂ部およびＡ部が組み合わされたパターンの３種類が所定の間隔をおいて現れるパターンとなる。
なお、図１７に示すパターンのうちオンとなるパターンの部分は、実際には３番車１３３の遮光部によりオフとなる部分があるので、歯抜け状のパターンとなっている。
【００９３】
また、例えば分針車１３４および時針車１３６の基準位置として、図１７に示すように、０時００分、４時００分、および８時００分の位置に設定されている。
【００９４】
Ｄ部，Ｂ部およびＡ部の組み合わせからなるパターンが確認されたときを例えば４時００分、Ｅ部，Ｂ部およびＡ部の組み合わせからなるパターンが確認されたときをたとえば８時００分、Ｃ部，Ｂ部およびＡ部の組み合わせからなるパターンが確認されたときを、たとえば１２時００分として予め設定しておけば、これらのパターンのいずれかを検出したときに、時分針用モータ１３１を停止させることで、分針車１３４および時針車１３６すなわち分針および時針を所定の時刻に時刻修正することができる。
【００９５】
そして、時分針用モータ１３１を停止させた後、制御回路１４によるドライブ信号ＤＲ２がハイレベルに切り換えられる。
これにより、ドライブ回路１８のトランジスタＱ２がオフし、発光ダイオードの発光が停止され（ＳＴ１１４）、時刻修正動作を終了する。
【００９６】
また、剣付けモードの際に、時分針車の原点検索処理が短くなるような出荷位置ＴＳ、本実施形態では１０時３０分に設定する場合を図１７を参照しながら説明する。
例えばユーザが外部電源２０１を投入すると、制御回路１４は、位相合わせ処理、秒針原点検索処理、分針原点検索処理、および時刻合わせ処理を行う。出荷位置ＴＳとして１０時３０分に設定した場合、図１７に示したように、出荷位置ＴＳから秒針車および時分針車を駆動させて検出光を貫通させた後、時分針を止めて秒針原点検索を行う。その後時分針車を回転させて、光センサ部１４０でＣ部を検出することで、略１２時の位置であることを検出し、Ｂ部およびＡ部を検出した時点で停止させることにより、時分針が所定の基準位置１２時００分に設定される。
【００９７】
例えば、この１０時３０分の位置は、時分針車を基準位置に設定する際に原点検索処理を行う際に、参照される必要最小限必要なオンオフパターンを検出する位置である。この位置に出荷時の指針を設定することにより、原点検索処理の時間が最も短い。
【００９８】
図１８は、図１に示した電波修正時計の動作を説明するためのフローチャートである。
ステップＳＴ２０１において、制御回路１４は、例えば、初期変数や初期動作等の初期設定を行う。
ステップＳＴ２０２において、制御回路１４は、モード設定スイッチＳＷ１２２から出力される信号Ｓ１２２を基に、アラームモードであるか否かを判別する。例えば、制御回路１４は、モード設定スイッチＳＷ１２２がオフ状態を示す信号Ｓ１２２が入力された場合には、アラームモードであると判別し、後述するステップＳＴ２０３のアラームモード処理を行う。
一方、ステップＳＴ２０２において、制御回路１４は、モード設定スイッチＳＷ１２２がオン状態を示す信号１２２が入力された場合には、通常モードであると判別し、ステップＳＴ２０４の処理に進む。
【００９９】
ステップＳＴ２０４において、制御回路１４は、通常モード時には、内部時計１４０１による時刻情報に基づいて、通常の運針ステップを行わせる駆動信号ＣＴＬ１，ＣＴＬ２を秒針用モータ１２１，時分針用モータ１３１に出力して、時針ｍ１、分針ｍ２、および秒針ｍ３に現時刻表示を行わせる。
【０１００】
ステップＳＴ２０５において、制御回路１４は、例えば時刻修正を行う、予め設定された所定時間、例えば２時５０分であるか否かを判別し、所定時間でない場合には、ステップＳＴ２０２の処理に戻る。
一方、ステップＳＴ２０５において、制御回路１４は、所定時間であると判別した場合には、長波受信回路１１０に標準時刻電波信号を受信させ（ＳＴ２０６）、長波受信回路１１０から出力された信号Ｓ１１に基づいて、内部時計１４０１が計時する時刻情報を修正する（ＳＴ２０７）。
【０１０１】
ステップＳＴ２０８において、制御回路１４は、内部時計１４０１による時刻情報に基づいて、指針による現時刻表示を修正する。例えば、指針の位置検出を行った後、内部時計１４０１による時刻情報に基づいて、現時刻を示す位置にまで指針を移動させるように駆動パルスを印加し、ステップＳＴ２０２の処理に戻る。
【０１０２】
図１９は、図１８に示したアラームモード時の処理を説明するためのフローチャートである。図１８に示したステップＳＴ２０３の処理を以下、詳細に説明する。
【０１０３】
ステップＳＴ３０１において、アラームモード時には、制御回路１４は、アラーム時刻を表示を行う目安針を、時針ｍ１、分針ｍ２、または秒針ｍ３のいずれかの指針から選択する。例えば本実施形態では制御回路１４は、時針ｍ１と分針ｍ２を目安針として選択する。
また、制御回路１４は、目安針として選択されない残りの指針、秒針ｍ３をアラームモード時の現時刻を表示させる指針として設定する。
また、制御回路１４は、ローレベルのドライブ信号ＤＲ３をアラームモード表示部１９に出力して、発光素子１９０を発光させてアラームモードであることを表示する。
【０１０４】
ステップＳＴ３０２において、制御回路１４は、上述した指針の位置検出を行う。
ステップＳＴ３０３において、制御回路１４は、設定されたアラーム時刻と、選択した目安針、時針ｍ１および分針ｍ２の輪列構成に応じた駆動パルス信号ＣＴＬ２を時分針用モータ１３１に出力して、例えば図６（Ｂ）に示すように、時針ｍ１および分針ｍ２にアラーム時刻表示を行わせる。
【０１０５】
ステップＳＴ３０４において、制御回路１４は、アラーム時刻修正を行うか否かを判別する。具体的には、制御回路１４は、第１および第２アラーム時刻修正スイッチＳＷ１２３，ＳＷ１２４が操作されたか否かを判別する。アラーム時刻修正を行わない場合にはステップＳＴ３０６の処理に進む。
【０１０６】
アラーム時刻修正を行うと判別した場合、つまり、スイッチＳＷ１２３，ＳＷ１２４が操作されたと判別した場合には、制御回路１４は、スイッチＳＷ１２３，ＳＷ１２４からの信号Ｓ１２３，Ｓ１２４に応じてアラーム時刻の修正、設定を行う。詳細には、制御回路１４は、スイッチＳＷ１２３から信号Ｓ１２３が入力された場合には、設定されたアラーム時刻を所定時間、例えば１０分だけ進めてアラーム時刻を設定し、スイッチＳＷ１２４から信号Ｓ１２４が入力された場合には、例えば設定されたアラーム時刻を所定時間、例えば１０分だけ遅らせてアラーム時刻を設定する。
制御回路１４は、駆動パルス信号ＣＴＬ２を時分針用モータ１３１に印加して、本実施形態の目安針である時針ｍ１および分針ｍ２を、修正されたアラーム時刻を表示するように駆動し、ステップＳＴ３０６の処理に進む。
【０１０７】
ステップＳＴ３０６において、制御回路１４は、選択した目安針以外の指針に、現時刻表示の機能を割り当てる。
本実施形態では制御回路１４は、秒針ｍ３に現時刻表示の機能を割り当てる。
【０１０８】
ステップＳＴ３０７において、制御回路１４は、内部時計１４０１による時刻情報と、現時刻表示機能に応じた駆動パルス信号ＣＴＬ１を秒針用モータ１２１に出力し、例えば図６（Ｂ）に示すように、秒針ｍ３に現時刻表示を行わせる。
本実施形態では、図６（Ｂ）に示すように、第１目盛り２１１と秒針ｍ３により現時刻表示を行う。
【０１０９】
ステップＳＴ３０８において、制御回路１４は、内部時計１４０１による時刻情報に基づいて、設定されたアラーム時刻か否かを判別し、アラーム時刻でない場合には、ステップＳＴ３０７の処理に戻る。
【０１１０】
一方、ステップＳＴ３０８の判別において、アラーム時刻であると判別した場合には、制御回路１４は、発音部２０に、アラーム時刻である旨を示すアラーム音を発音させることで報知を行う（ＳＴ３０９）。この報知は報知音スイッチＳＷ１２５が操作されるか、アラームモードが解除されるまで行われる。
【０１１１】
ステップＳＴ３１０において、制御回路１４は、アラームモードが解除されたか否かを判別する。
具体的には、制御回路１４は、モード設定スイッチＳＷ１２２が操作されて、通常モードに設定されたことを示す信号Ｓ１２２が入力された場合には、ハイレベルのドライブ信号ＤＲ３をアラームモード表示部１９に出力して、図６（Ａ）に示すように、発光素子１９０を発光させない。
【０１１２】
また、制御回路１４は、各指針を通常の機能に設定し（ＳＴ３１１）、上述したように指針の位置検出を行い（ＳＴ３１２）、各指針を内部時計による時刻情報に基づいて、駆動パルス信号ＣＴＬ１，ＣＴＬ２を秒針用モータ１２１，時分針用モータ１３１に出力して、図６（Ａ）に示すように、時針ｍ１、分針ｍ２、または秒針ｍ３それぞれに現時刻表示を行わせる（ＳＴ３１３）。そして図１８に示すステップＳＴ２０２の処理に戻る。
【０１１３】
以上説明したように、本実施形態では、内部時計１４０１と、輪列１２２〜１２３を介して秒針ｍ３を駆動する秒針用モータ１２１と、輪列１３２〜１３６を介して時針ｍ１および分針ｍ２を駆動する時分針用モータ１３１と、通常モード時には、内部時計１４０１による時刻情報に基づいて、秒針ｍ１を輪列１２２〜１２３を介して駆動させる駆動信号ＣＴＬ１を秒針用モータ１２１に出力し、時針ｍ１および分針ｍ２を輪列１３２〜１３６を介して駆動させる駆動信号ＣＴＬ２を時分針用モータ１３１に印加して時針ｍ１、分針ｍ２、および秒針ｍ３により現時刻表示を行わせ、アラームモード時には、時針ｍ１および分針ｍ２をアラーム時刻表示のための指針として選択し、選択した指針を駆動する時分針用モータ１３１に輪列１３２〜１３６に応じた駆動信号ＣＴＬ２を印加して、設定されたアラーム時刻を示す位置にまで駆動させ、残りの指針である秒針ｍ３を現時刻表示を行うために指針として、秒針用モータ１２１に、内部時計１４０１による時刻情報と輪列１２２〜１２３に基づいて駆動信号ＣＴＬ１を印加して現時刻表示、例えば時表示を行わせる制御回路１４とを設けたので、複雑な機構を設けることなく、目安精度が高精度なアラーム時計を提供することができる。
【０１１４】
また、制御回路１４は、各モードに応じて指針を選択することにより、詳細には通常モードおよびアラームモードそれぞれで、指針を、文字板２０１の第１目盛り２１１および第２目盛り２１２に合わせるように駆動信号を各モータに印加することで、通常モードおよびアラームモードでも、現時刻やアラーム時刻を最適に表示することができる。
また、この形態に限られるものではない。例えば制御回路１４は、各指針を連続運針させる駆動パルス信号を各モータに印加させて、各指針に時刻表示を行わせてもよい。
【０１１５】
制御回路１４は、アラームモード時には、アラームモード表示部１９を発光させ、通常モード時には発光を行わないので、ユーザは、アラームモード時には、アラームモード表示部１９が発光してるのを確認してアラームモードであることを確認し、秒針ｍ３がアラーム時刻であり、時針ｍ１および分針ｍ２が示す時刻から現時刻を簡単に把握することができる。
【０１１６】
図２０は、本発明の第２実施形態に係る電波修正時計の正面図である。
第２実施形態に係る電波修正時計１は、第１実施形態との相違点は、アラームモード時に、秒針ｍ３をアラーム時刻表示のための指針、目安針として選択し、その他の指針である時針ｍ１および分針ｍ２に現時刻表示を行わせる点である。
【０１１７】
また、第１目盛り２１１の外側に第２目盛り２１２が形成されている。
本実施形態では上述したようにアラームモード時には１針（秒針ｍ３）によりアラーム時刻表示（アラーム時刻の時表示）を行う際には、秒針が第２目盛り２１２を示す位置がアラーム時刻に相当する。
他の構成は同様であるので相違点のみ説明し、同一の構成および動作に関しては説明を省略する。
【０１１８】
具体的には、本実施形態に係る制御回路１４は、アラームモード時には、秒針ｍ３を、アラーム時刻表示のための指針として選択し、設定されたアラーム時刻、例えば図２０に示すように５時３０分に設定し、その他の指針である時針ｍ１および分針ｍ２に、現時刻表示を行わせる。
具体的には、制御回路１４は、設定されたアラーム時刻および秒針ｍ３を駆動する第１の輪列に応じた駆動信号ＣＴＬ１を、秒針用モータ１２１に出力する。
【０１１９】
本実施形態では、通常モード時およびアラームモード時において、時分針用モータ１３１、時針ｍ１および分針ｍ２は、現時刻表示を行ったままであるので、第１実施形態のように煩雑な処理を行う必要がない。
【０１２０】
図２１は、本発明の第３実施形態に係る電波修正時計の正面図である。図２２は、本発明の第３実施形態に係る電波修正時計の指針駆動系の要部の断面図である。
【０１２１】
第３実施形態に係る電波修正時計は、第１実施形態との大きな相違点は、第１のモータ１２１が分針ｍ２および秒針ｍ３を駆動し、第２のモータ１３１が時針ｍ１を駆動する点である。
また、制御回路１４は、アラームモード時には、時針ｍ１をアラーム時刻表示のための指針として選択し、選択した時針ｍ１を駆動する駆動モータ１３１に輪列に応じた駆動信号ＣＴＬ２を印加して設定されたアラーム時刻を示す位置にまで駆動させる。
また、制御回路１４は、アラームモード時には、その他の指針、秒針ｍ３および分針ｍ２を駆動する駆動モータ１２１に、内部時計１４０１による時刻情報および輪列に基づいて駆動信号ＣＴＬ１を印加して現時刻表示を行わせる。
【０１２２】
次に、電波修正時計のムーブメントおよび指針位置検出系の具体的な構成について、図２２に関連付けて第１実施形態との相違点のみ説明する。
【０１２３】
時計本体１００は、図２２に示すように、互いに対向して接続されて輪郭を形成する下ケース１１１、上ケース１１２、ならびに、下ケース１１１および上ケース１１２で形成される空間内において下ケース１１１と連結した状態で配置される中板１１３を有する。
【０１２４】
時計本体１００は、互いに対向して接続されて輪郭を形成する第２ケースとしての下ケース１１１および第１ケースとしての上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、第１駆動系（秒分針駆動系）３２０、第２駆動系（時針駆動系）３３０、光検出センサ１４０等が固定あるいは軸支されている。
【０１２５】
第１駆動系３２０は、図２２に示すように、略コ字状のステータ３２１ａ、このステータ３２１ａの一方側の脚片に巻回された駆動コイル、このステータ１２１ａの他方の磁極間において回動自在に配置されたロータ３２１ｃにより構成された秒分針用モータ１２１と、ロータ３２１ｃのピニオン３２１ｄに大径歯車３２２ａが噛合した第１の５番車３２２と、この第１の５番車３２２の小径歯車３２２ｂに大径歯車１２３ａが噛合した秒針車１２３と、この秒針車１２３の小径歯車１２３ｂに大径歯車３２４ａが噛合した３番車３２４と、この３番車３２４の小径歯車３２４ｂに大径歯車１３４ａが噛合した分針車１３４により構成されている。
ここで、秒分針用モータ１２１は、ステータ３２１ａが中板１１３に載置して固定され、ロータ３２１ｃが中板１１３と上ケース１１２とに軸支されており、制御回路１４の出力制御信号ＣＴＬ１に基づいて、その回転方向、回転角度、および回転速度が制御される。
【０１２６】
第２駆動系３３０は、図２２に示すように、略コ字状のステータ３３１ａ、このステータ３３１ａの一方側の脚片に巻回された駆動コイル、このステータ３３１ａの他方の磁極間において回動自在に配置されたロータ３３１ｃにより構成された時針用モータ１３１とロータ３３１ｃのピニオン３３１ｄに大径歯車３３２ａが噛合した第２の５番車３３２と、この第２の５番車３３２の小径歯車３３２ｂに大径歯車３３３ａが噛合した中間車（日の裏車）３３３と、この中間車（日の裏車）３３３の小径歯車３３３ｂに大径歯車１３６ａが噛合した時針車１３６とにより構成されている。
ここで、時針用モータ１３１は、ステータ３３１ａが中板１１３に載置して固定され、ロータ３３１ｃが中板１１３と上ケース１１２とに軸支されており、制御回路１４の出力制御信号に基づいて、その回転方向、回転角度、および回転速度が制御される。
【０１２７】
上記構成の電波修正時計の動作を第１，第２実施形態との相違点のみ簡単に説明する。
制御回路１４は、通常モード時には、内部時計１４０１による時刻情報に基づいて、秒分針用モータ１２１および時針用モータ１３１に、上述した輪列を介して秒針ｍ３、分針ｍ２、時針ｍ１に現時刻表示を行わせる駆動信号ＣＴＬ１，ＣＴＬ２を印加する。
【０１２８】
制御回路１４は、アラームモード時には、時針ｍ１をアラーム時刻表示のための指針として選択し、図２１に示すように、選択した時針ｍ１を駆動する駆動モータ１３１に輪列に応じた駆動信号ＣＴＬ２を印加して設定されたアラーム時刻を示す位置にまで駆動させ、その他の指針、秒針ｍ３および分針ｍ２を駆動する駆動モータ１２１に、内部時計１４０１による時刻情報および輪列に基づいて駆動信号ＣＴＬ１を印加して図２１に示すように、秒針ｍ３を現時刻の分表示、分針ｍ２に現時刻の時表示を行わせる。つまり図２１に示す電波修正時計では、アラーム時刻が５時３０分、現在時刻が１０時３０分である。
【０１２９】
以上説明したように、本実施形態では、制御回路１４は、アラームモード時には、時針ｍ１がアラーム時刻表示のための指針であり、秒針ｍ３を現時刻の分表示、分針ｍ２に現時刻の時表示を行わせるので、モードや輪列構成に応じてそれぞれの指針を駆動する駆動信号を出力することで、複雑な機構を設けることなく、目安精度が高精度なアラーム時計を提供することができる。
【０１３０】
また、上述した実施形態に限られるものではない。例えばアラームモード時には、秒針ｍ３、および分針ｍ２をアラーム時刻表示用の指針として選択してもよい。その際には、時針ｍ１を現時刻表示のための指針とする。こうすることで時針ｍ１は通常モード時およびアラームモード時で現時刻表示を行うので、煩雑な処理を行う必要がなくなる。
【０１３１】
図２３は、本発明の第４実施形態に係る電波修正時計の正面図である。図２４は、本発明の第４実施形態に係る電波修正時計の指針駆動系の要部の構成図である。図２５は、図２４に示した指針駆動系の断面図である。
【０１３２】
本実施形態に係る電波修正時計は、図２３〜図２５に示すように、指針として時針ｍ１および分針ｍ２を有し、指針それぞれは第１のモータおよび第２のモータにより輪列を介して駆動される。
通常モード時には時針ｍ１および分針ｍ２により現時刻表示を行う。一方、アラームモード時には、例えば制御回路１４は、指針のうち時針ｍ１をアラーム時刻表示用の指針として選択し、残りの指針である分針ｍ２を現時刻表示として選択する。
【０１３３】
詳細には、制御回路１４は、アラームモード時には、例えば図２３に示すように、時針ｍ１をアラーム時刻を示す指針として選択し、選択した時針ｍ１が設定されたアラーム時刻、例えば５時３０分となるように、時針ｍ１を駆動するモータに駆動パルス信号を印加する。
また、制御回路１４は、アラームモード時には、分針ｍ２には現時刻表示、例えば時表示を行なわせる。例えば現時刻が１０時３０分の場合には、図２３に示すように分針ｍ２が第１目盛りにおいて時表示を行うように駆動パルス信号を、分針ｍ２を駆動する駆動モータに印加する。
【０１３４】
以下、図２４，２５を参照しながらムーブメントの構成を、第１〜第３実施形態との相違点を中心に説明する。
本実施形態では、分針駆動系４２０は、図２４，２５に示すように、略コ字状のステータ１２１ａ、このステータ１２１ａの一方側の脚片に巻回された駆動コイル１２１ｂ、このステータ１２１ａの他方の磁極間において回動自在に配置されたロータ１２１ｃにより構成された分針用モータ１２１と、ロータ１２１ｃのピニオン１２１ｃ’に大径歯車４２２ａが噛合した第１の中間車としての第１の４番車４２２と、この第１の４番車４２２の小径歯車４２２ｂに噛合した第１の３番車３２３と、第１の３番車３２３の小径歯車３２３ｂに噛合した分針車１２４とにより構成されている。ここで、分針用モータ１２１は、ステータ１２１ａが中板１１３と上ケース１１２とに軸支されており、制御回路の出力制御信号ＣＴＬ１に基づいて、その回転方向、回転角度および回転速度が制御される。
【０１３５】
第１の４番車４２２は、下ケース１１１および上ケース１１２に回動自在に軸支され、その大径歯車４２２ａが分針用モータ１２１のロータ１２１ｃ（ピニオン１２１ｃ’）と噛合してロータ１２１ｃの回転速度を所定速度に減速させる。この第１の４番車４２２には透孔が形成されている。この透孔は光検出センサ１４０の検出光を通過させる。
【０１３６】
第１の３番車４２３は、下ケース１１１および上ケース１１２に回動自在に軸支され、その大径歯車４２３ａが第１の４番車４２２の小径歯車４２２ｂに噛合して、第１の４番車４２２の回転速度を所定速度に減速させる。
【０１３７】
分針車１２４は、中央部に分針パイプ１２４ｐが、側面視にて略Ｔ字形状をなすように形成されている。そして、分針パイプ１２４ｐの一端部が中板１１３に回動自在に軸支され、他端側の軸部は時針車１３４の時針パイプ１３４ｐの内部に回動自在に挿通されている。また、分針パイプ１２４ｐは、下ケース１１１を貫通して時計の文字板側に突出しており、その先端には分針ｍ２が取り付けられている。
また、分針車１２４には、回転により時針車１３４、第２の３番車４３３と重なる領域において周方向に長尺な３この円弧状透孔が形成されている。
【０１３８】
時針駆動系５３０は、図２４，２５に示すように、略コ字状のステータ１３１ａ、このステータ１３１ａの一方側の脚片に巻回された駆動コイル１３１ｂ、このステータ１３１ａの他方の磁極間において回動自在に配置されたロータ１３１ｃにより構成された時針用モータ１３１と、ロータ１３１ｃのピニオン１３１ｃ’に大径歯車５３２ａが噛合した中間車としての第２の４番車５３２と、この第２の４番車５３２の小径歯車５３２ｂに噛合した第２の３番車５３３と、第２の３番車５３３の小径歯車５３３ｂに大径歯車１３４が噛合した時針車１３４とにより構成されている。ここで時針用モータ１３１は、ステータ１３１ａが中板１１３に載置して固定され、ロータ１３１ｃが中板１１３と上ケース１１２とに軸支されており、制御回路１４の出力信号ＣＴＬ２に基づいて、その回転方向、回転角度および回転速度が制御される。
【０１３９】
第２の４番車４３２は、下ケース１１１および上ケース１１２に回動自在に軸支され、その大径歯車５３２ａが時針用モータ１３１のロータ１３１（ピニオン１３１ｃ’）と噛合して、ロータ１３１ｃの回転速度を所定速度に減速させる。この第２の４番車４３２には、透孔が形成されている。この透孔は光検出センサ１４０の検出光を通過させる。
【０１４０】
第２の３番車５３３は、下ケース１１１および上ケース１１２に回動自在に軸支され、その大径歯車５３３ａが第２の４番車５３２の小径歯車５３２に噛合して、第２の４番車５３２の回転速度を所定速度に減速させる。この第２の３番車５３３には、円形状をなす透孔が形成されている。
【０１４１】
時針車１３４は、その中央部に円筒上の時針パイプ１３４ｐがいったい的に取り付けられており、この時針パイプ１３４ｐの内部に前述の分針パイプ１２４ｐが挿通されている。そして、時針パイプ１３４ｐは、下ケース１１１に形成された軸受け孔に挿通されて回動自在に軸支されており、また、その先端側は下ケース１１１を貫通して時計の文字板側に突出しており、その先端には時針ｍ１が取り付けられている。
また、時針車１３４には、透孔が形成されている。この透孔は検出光を通過させる。
その他の構成は、第１〜４実施形態と略同様であるので説明を省略する。
【０１４２】
上記構成の電波修正時計の動作は、通常モード時には制御回路１４は、分針用モータ１２１，時針用モータ１３１を駆動して、時針ｍ１および分針ｍ２により現時刻表示を行う。
一方、アラームモード時には、制御回路１４は、指針のうち時針ｍ１をアラーム時刻表示用の指針として選択し、残りの指針である分針ｍ２を現時刻表示として選択し、具体的には、例えば図２３に示すように、時針ｍ１をアラーム時刻を示す指針として選択し、選択した時針ｍ１が設定されたアラーム時刻、例えば５時３０分となるように、時針ｍ１を駆動するモータに駆動パルス信号を印加する。
また、制御回路１４は、分針ｍ２には現時刻表示、例えば現時刻が１０時３０分の場合には、図２３に示すように分針ｍ２が第１目盛りにおいて時表示を行うように駆動パルス信号を、分針ｍ２を駆動する駆動モータに印加する。
【０１４３】
以上説明したように、本実施形態では、アラームモード時には、分針ｍ２および時針ｍ１のうち、いずれかの指針、例えば時針ｍ１をアラーム時刻表示用の指針として選択し、その他の指針、分針ｍ２を現時刻表示用の指針として選択し、それぞれの指針に割当てたの機能に応じた駆動パルス信号を、各モータ１２１，１３１に印加するので、第１実施形態と比べて簡単な構成で、目安精度が高精度なアラーム時計を提供することができる。
【０１４４】
また、例えば制御回路１４は、アラームモード時には、分針ｍ２および時針ｍ１のうち、いずれかの指針、分針ｍ２をアラーム時刻表示用の指針として選択し、その他の指針、時針ｍ１を現時刻表示用の指針として選択し、それぞれの指針に割当てた機能に応じた駆動パルス信号を、各モータ１２１，１３１に印加した場合には、時針ｍ１が通常モード時およびアラームモード時で同じ現時刻表示なので、ユーザにとってよりわかりやすい時刻表示および目安表示を行うことができる。
【０１４５】
図２６は、本発明に係る電波修正時計の第５実施形態の機能ブロック図である。図２７は、本発明の第５実施形態に係る電波修正時計の指針駆動系の要部の構成図である。図２８は図２７に示した電波修正時計の時針車、分針車、および秒針車の側面図である。
【０１４６】
本実施形態に係る電波修正時計は、第１〜第４実施形態との大きな相違点として、図２６〜図２８に示すように、秒針ｍ３、分針ｍ２、および時針ｍ１それぞれを独立に駆動する、秒針用モータ６２１、分針用モータ６３１、時針用モータ６４１を有する点である。
また、秒針ｍ３、分針ｍ２、時針ｍ１を駆動させるための輪列が形成されている。
制御回路１４は、秒針用モータ６２１、分針用モータ６３１、時針用モータ６４１それぞれに輪列に応じた駆動パルス信号ＣＴＬ１，ＣＴＬ２，ＣＴＬ３を印加することにより、通常モード時およびアラームモード時に応じた指針駆動を行う。
【０１４７】
本実施形態では、制御回路１４は、例えばアラームモード時には、時針ｍ１をアラーム時刻を表示するための目安針として選択し、その他の指針、分針ｍ２，秒針ｍ３を現時刻表示のための指針としての機能を割り当てる。
【０１４８】
具体的には、制御回路１４は、アラームモード時には、時針ｍ１をアラーム時刻を表示するための目安針として選択し、輪列に応じて、時針ｍ１がアラーム時刻表示を行うように、駆動パルス信号ＣＴＬ３を、時針用モータ１４１に出力する。
制御回路１４は、例えばアラームモード時には、秒針ｍ３を現時刻表示の分表示、分針ｍ２を現時刻表示の時表示としての機能を割り当て、それに応じた駆動パルス信号を、輪列に応じてモータ６２１，６３１に印加する。
【０１４９】
以下、輪列の構成を図２７，２８を参照しながら簡単に説明する。
秒針用モータ６２１の駆動軸には、図２７に示すように、略コ字状のステータ６２１ａ、このステータ６２１ａの一方側の脚片に巻回された駆動コイル６２１ｂ、このステータ６２１ａの他方の磁極間において回動自在に配置されたロータ６２１ｃにより構成された秒針用モータ６２１と、ロータ６２１ｃのピニオン６２１ｄに大径歯車６２２ａが噛合した第１の５番車６２２と、この第１の５番車６２２の小径歯車６２２ｂに大径歯車６２３ａが噛合した第１の４番車６２３と、この第１の４番車６２３の小径歯車６２３ｂに大径歯車６２４ａが噛合した第１の３番車６２４と、この第１の３番車６２４の小径歯車６２４ｂに噛合した秒針車６２５により構成されている。
【０１５０】
分針用モータ６３１の駆動軸には、図２７に示すように、略コ字状のステータ６３１ａ、このステータ６２１ａの一方側の脚片に巻回された駆動コイル６３１ｂ、このステータ６３１ａの他方の磁極間において回動自在に配置されたロータ６３１ｃにより構成された分針用モータ６３１と、ロータ６３１ｃのピニオン６３１ｄに大径歯車６３２ａが噛合した第２の５番車６３２と、この第２の５番車６３２の小径歯車６３２ｂに大径歯車６３３ａが噛合した第２の４番車６３３と、この第２の４番車６３３の小径歯車６３３ｂに大径歯車６３４ａが噛合した第２の３番車６３４と、この第２の３番車６３４の小径歯車６３４ｂに噛合した分針車６３５により構成されている。
【０１５１】
時針用モータ６４１の駆動軸には、図２７に示すように、略コ字状のステータ６４１ａ、このステータ６４１ａの一方側の脚片に巻回された駆動コイル６４１ｂ、このステータ６４１ａの他方の磁極間において回動自在に配置されたロータ６４１ｃにより構成された時針用モータ６４１と、ロータ６４１ｃのピニオン６４１ｄに大径歯車６４２ａが噛合した第３の５番車６４２と、この第３の５番車６４２の小径歯車６４２ｂに大径歯車６４３ａが噛合した第３の４番車６４３と、この第３の４番車６４３の小径歯車６４３ｂに大径歯車６４４ａが噛合した第３の３番車６４４と、この第３の３番車６４４の小径歯車６４４ｂに噛合した時針車６４５により構成されている。
【０１５２】
上記時針車６４５、分針車６３５、秒針車６２５とは、図２８に示すように、同心円状に且つ互いに平行になるように、下から上に順次配置されており、最上部の秒針車６２５の上方には光センサ部１４０、発光素子１４２，受光素子１４４が配置されている。
本実施形態では、図２８に示すように同軸状に配置され、重ね合った状態で、秒針車６２５には、発光素子１４２から出力された光を通過させる透孔６２５１が設けられ、分針車６２５の同様な位置には、上記透孔６３５１よりもはるかに周方向に幅広の透孔６３５１が設けられており、更に時針車６４５の同様な位置には、上記透孔６３５１と同等な大きさの反射部６４５１が設けられている。
【０１５３】
更に、分針車６３５には、その透孔６３５１と同じ半径で反射部６３５２が設けられており、この反射部６３５２は、透孔６３５１の径方向の幅と同じ幅に形成されている。
【０１５４】
光検出センサ１４０の下方に秒針車６２５の透孔６２５１が位置し、この透孔６２５１の下方に分針車６３５１の反射部６３５２が位置すると、光検出センサ１４０には反射光が検出される。また、光検出センサ１４０の下方に秒針車６２５の透孔６２５１が位置し、且つ、この透孔６２５１の下方に分針車６３５１の透孔６３５１が位置し、更に、時針車６４５の反射部６４５１が位置すると、光検出センサ部１４０には、反射光が検出される。
上記透孔６２５１，６３５１や反射部６４５１は，時針ｍ１や分針ｍ２や秒針ｍ３の帰零位置（例えば１２時００分００秒）に対応して、重なり合うように設けられている。
制御回路１４は、上述した光検出センサ１４０による光の検出パターンにより、指針の位置検出を行う。
【０１５５】
以上の構成の電波修正時計の動作を、第１〜４実施形態との相違点を簡単に説明する。同じ動作については説明を省略する。
通常モード時には、制御回路１４は、秒針用モータ６２１、分針用モータ６３１、時針用モータ６４１それぞれに輪列に応じた駆動パルス信号ＣＴＬ１，ＣＴＬ２，ＣＴＬ３を印加して、時針ｍ１、分針ｍ２、秒針ｍ３を通常運針させる。
【０１５６】
アラームモード時には、制御回路１４は、例えば時針ｍ１をアラーム時刻を表示するための目安針として選択し、その他の指針、秒針ｍ３を現時刻表示の分表示、分針ｍ２を現時刻表示の時表示としての機能を割り当て、その機能と輪列に応じた駆動パルス信号をモータ６２１，６３１に印加する。
【０１５７】
以上説明したように、本実施形態では３個の指針、時針ｍ１、分針ｍ２、および秒針ｍ３それぞれを独立に駆動する駆動モータ６２１，６３１，６４１を設け、通常モードおよびアラームモード、指針それぞれに割り当てられた機能、および輪列に応じた駆動パルスを駆動モータに印加することで、第１〜４実施形態と比べて１つの駆動モータが２つの指針を駆動していないので、指針それぞれに自由に機能を割り当てることができる。
例えば、上述した例に限られるものではなく、例えばアラームモード時には、時針ｍ１，分針ｍ２，秒針ｍ３のいずれかの指針、１個または２個の指針をアラーム時刻を表示するための目安針として選択し、その他の指針を現時刻表示としての機能を割り当て、割り当てた機能に応じた駆動信号を各駆動モータに印加してもよい。
【０１５８】
なお、本発明は本実施形態に限られるものではなく、任意好適な種々の変更が可能である。
第１実施形態では、第２目盛り２１２を用いなかったが、この形態に限られるものではない。例えば第２目盛り２１２を設けて、制御回路１４は、アラームモード時には、１０分毎に５パルスの駆動信号ＣＴＬ１を秒針用モータ１２１に印加することで、第２目盛りの１目盛りを１０分として現時刻を表示してもよい。
【０１５９】
また、制御回路１４は、各目盛りの位置に合うように各指針を駆動させてもよいし、連続的に指針を駆動してもよい。
【０１６０】
また、本実施形態では、制御回路１４は、位置検出処理を行った後に、通常モードおよびアラームモードそれぞれに応じた指針位置に各指針を駆動させるように駆動パルス信号を各モータに印加したが、この形態に限られるものではない。
【０１６１】
例えば制御回路１４は、初期状態で各指針位置を示す情報を設定し、その状態から各駆動モータに印加した駆動パルス信号のパルス数を記憶することで指針位置を把握してもよい。こうすることで、制御回路１４は、各モード切替時や、指針による表示時刻の時刻修正時に位置検出処理を行う必要がなくなり、また、光検出センサ部１４０や、輪列に透孔を設ける必要がなくなり、より簡単な構造で本発明を実現することができる。
【０１６２】
また、通常モード時のステップや、アラームモード時の指針の運針や輪列は、上述した形態に限られるものではない。各モードそれぞれにおいて、制御回路１４は、指針をステップ運針や、連続運針、その他、所定単位時間の間に停止している時間と動いている時間やタイミングを任意に変えた運針を行ってもよい。
【０１６３】
また、上述した制御回路１４の処理の順番は上述した形態に限られるものではない。
また、上述した実施形態では、制御回路１４は通常モード時に標準時刻電波信号に基づいて時刻修正を行ったが、この形態に限られるものではない。例えば制御回路１４は、アラームモード時に標準電波受信系１１で受信した標準時刻電波信号に基づいて、時刻修正を行ってもよい。
【図面の簡単な説明】
【０１６４】
【図１】本発明に係る電波修正時計の第１実施形態の機能ブロック図である。
【図２】図１に示した電波修正時計の構成図である。
【図３】図２に示した電波修正時計の断面図である。
【図４】本発明に係る制御回路における電波受信状態を説明するための図である。
【図５】標準時刻電波信号の時刻コードの一例を示している。（ａ）は毎時１５，４５分以外のフォーマット、（ｂ）は毎時１５分，４５分のフォーマットを示す。
【図６】図１に示した電波修正時計の正面図である。（Ａ）は、通常モード時の指針による現時刻表示を示す図、（Ｂ）は、アラームモード時の指針によるアラーム時刻表示と現時刻表示を示す図である。
【図７】電波修正時計の一部である秒針を駆動する第１駆動系を示す平面図である。
【図８】電波修正時計の一部である分針および時針を駆動する第２駆動系を示す平面図である。
【図９】秒針を駆動する第１駆動系の一部をなす第１の５番車を示す平面図である。
【図１０】秒針を駆動する第１駆動系の一部をなす秒針車を示す平面図である。
【図１１】秒針を駆動する第１駆動系の一部をなす秒針車の他の例を示す平面図である。
【図１２】分針および時針を駆動する第２駆動系の一部をなす３番車を示す平面図である。
【図１３】分針および時針を駆動する第２駆動系の一部をなす分針車を示す平面図である。
【図１４】分針および時針を駆動する第２駆動系の一部をなす時針車を示す平面図である。
【図１５】分針パイプおよび時針パイプの先端部を示す端面図である。
【図１６】図１に示した電波修正時計の指針位置検出処理の動作を示すフローチャートである。
【図１７】図１に示した電波修正時計の検出光の出力パターンを説明するための図である。
【図１８】図１に示した電波修正時計の動作を説明するためのフローチャートである。
【図１９】図１８に示したアラームモード時の処理を説明するためのフローチャートである。
【図２０】本発明の第２実施形態に係る電波修正時計の正面図である。
【図２１】本発明の第３実施形態に係る電波修正時計の正面図である。
【図２２】本発明の第３実施形態に係る電波修正時計の指針駆動系の要部の断面図である。
【図２３】本発明の第４実施形態に係る電波修正時計の正面図である。
【図２４】本発明の第４実施形態に係る電波修正時計の指針駆動系の要部の構成図である。
【図２５】図２４に示した電波修正時計の指針駆動系の断面図である。
【図２６】本発明に係る電波修正時計の第５実施形態の機能ブロック図である。
【図２７】本発明の第５実施形態に係る電波修正時計の指針駆動系の要部の構成図である。
【図２８】図２７に示した電波修正時計の時針車、分針車、および秒針車の側面図である。
【符号の説明】
【０１６５】
１…電波修正時計、１１…電波受信系、１２…スイッチ群、１３…発振回路、１４…制御回路、１５…ドライブ回路、１６…発光素子、１７…バッファ回路、１８…ドライブ回路、１９…アラームモード表示部、２０…発音部（報知手段）、１００…時計本体部（機械機構：ムーブメント）、１１１…下ケース、１１２…上ケース、１１３…中板、１２０…第１駆動系、１２１…第１のモータ、１２２…第１の５番車、１２３…秒針車、１２４…分針車、１２６…６番車、１２７…７番車、１３０…第２駆動系、１３１…第２のモータ、１３２…第２の５番車、１３３…３番車、１３４…分針車、１３５…日の裏車、１３６…時針車、１４０…光検出センサ、１４２…発光素子、１４３…回路基板、１４４…受光素子、１５０…手動修正系、１５１…手動修正軸、１４０１…内部時計、１４０２…メモリ、ＳＷ１２１…時刻修正スイッチ、ＳＷ１２２…モード設定スイッチ、ＳＷ１２３…第１アラーム時刻修正スイッチ（ｕｐ）、ＳＷ１２４…第２アラーム時刻修正スイッチ（ｄｏｗｎ）、ＳＷ１２５…報知音スイッチ。
【図１】
2005233659.tif 000003
【図２】
2005233659.tif 000004
【図３】
2005233659.tif 000005
【図４】
2005233659.tif 000006
【図５】
2005233659.tif 000007
【図６】
2005233659.tif 000008
【図７】
2005233659.tif 000009
【図８】
2005233659.tif 000010
【図９】
2005233659.tif 000011
【図１０】
2005233659.tif 000012
【図１１】
2005233659.tif 000013
【図１２】
2005233659.tif 000014
【図１３】
2005233659.tif 000015
【図１４】
2005233659.tif 000016
【図１５】
2005233659.tif 000017
【図１６】
2005233659.tif 000018
【図１７】
2005233659.tif 000019
【図１８】
2005233659.tif 000020
【図１９】
2005233659.tif 000021
【図２０】
2005233659.tif 000022
【図２１】
2005233659.tif 000023
【図２２】
2005233659.tif 000024
【図２３】
2005233659.tif 000025
【図２４】
2005233659.tif 000026
【図２５】
2005233659.tif 000027
【図２６】
2005233659.tif 000028
【図２７】
2005233659.tif 000029
【図２８】
2005233659.tif 000030